(57)【要約】 【課題】  簡単な構成及び制御方法により、通信失敗領域を消滅させた非接触通信媒体用リーダライタを提供する。【解決手段】  リーダライタ筐体１０内でループ状コイルアンテナ１１を移動させることにより、良好に通信状態を保つことを可能とする。【選択図】  図１
2007279804.tif 000002
【特許請求の範囲】
【請求項１】
筐体内にループ状のコイルアンテナを有し、非接触通信媒体との間でデータ交換および電源供給を行う非接触通信媒体用リーダライタであって、前記コイルアンテナを前記筐体内で移動させる手段を有することを特徴とする非接触通信媒体リーダライタ。
【発明の詳細な説明】
【技術分野】
【０００１】
本発明は、非接触通信媒体用リーダライタに関するものである。
【背景技術】
【０００２】
非接触通信媒体用リーダライタは、アンテナ部を有し、該アンテナ部に非接触通信媒体をかざして、電波で情報の送受信を行うことにより、非接触で、データ読込み（リード）およびデータ書込み（ライト）動作を行う。
【０００３】
この種の非接触通信媒体用リーダライタ（以下、リーダライタとも表記）は、キャリア周波数ｆ＝１３.５６ＭＨｚで動作し、ＩＳＯ／ＩＥＣ１４４４３に準拠した近接型、またはＩＳＯ／ＩＥＣ１５６９３に準拠した近傍型の通信に対応し、近接型で最大約１０ｃｍ前後、近傍型で最大約７０ｃｍ前後の通信距離を有する。
【０００４】
上記通信に使用されるリーダライタのうち、物品管理、食堂精算等に使用される据置き型リーダライタにおいては、リーダライタのアンテナ上面に、非接触通信媒体を貼り付けた物品や食器等をならべて配置し、各非接触通信媒体の情報を一括して読取ることが一般的である。このように、多くの物品や食器に貼付された非接触通信媒体を一括して読取るためにはアンテナのコイル外径が大きいほど有利である。
【０００５】
しかしながら、前記コイル外径の大きいアンテナは、原理的にその磁界強度がアンテナのループ近傍で強く、アンテナの中心で弱いために、アンテナ中心付近の非接触通信媒体に対し、充分な電力供給がされず、非接触通信媒体と通信ができない領域、いわゆる、通信失敗領域が発生することが知られている。
【０００６】
この問題の解決案として、コイル外径の大きいアンテナの中心に、コイル外径の小さいアンテナを配置したリーダライタが提案されている。該リーダライタの中心付近に配置される非接触通信媒体との通信には、コイル外径の小さいアンテナを使用することにより、通信失敗領域を消滅させるものである。このような技術は例えば、特許文献１に開示されている。
【０００７】
【特許文献１】特開２００４−７０６４８号公報
【発明の開示】
【発明が解決しようとする課題】
【０００８】
しかしながら、上記方法においては、複数のアンテナが必要となり、複数のアンテナに供給する高周波電力を切り換えるための回路及び制御方法も必要となり、構成全体が複雑になるという問題があった。
【０００９】
本発明の技術的課題は、簡単な構成及び制御方法により、リーダライタの通信失敗領域を消滅させた非接触通信媒体用リーダライタを提供することである。
【課題を解決するための手段】
【００１０】
本発明は、リーダライタ内部で、ループ状のコイルアンテナを移動させることにより、固定されたループ状のコイルアンテナに生じる通信失敗領域を消滅させるものである。
【００１１】
すなわち、リーダライタ内部で、少なくともループ状アンテナをモータや、油圧などの一般的に用いられる手段や機構を用いて移動可能とし、移動しながら非接触通信媒体と通信可能とする。
【００１２】
本発明によれば、筐体内にループ状のコイルアンテナを有し、非接触通信媒体との間でデータ交換および電源供給を行う非接触通信媒体用リーダライタであって、前記コイルアンテナを前記筐体内で移動させる手段を有することを特徴とする非接触通信媒体用リーダライタが得られる。
【発明の効果】
【００１３】
本発明によれば、簡単な構成および制御手段で、リーダライタの通信失敗領域が消滅し、正確な情報の授受を行う非接触通信媒体用リーダライタを提供することが可能となる。
【発明を実施するための最良の形態】
【００１４】
本発明は、筐体内にループ状コイルアンテナを有するリーダライタにおいて、該ループ状コイルアンテナを筐体内部で移動させることにより、通信失敗領域を消滅させる。
【００１５】
ループ状コイルアンテナの移動は、モータや油圧機構をはじめとする一般的な手段ならいずれでも良く、直線運動や回転運動を組み合わせて、方向や距離を任意に移動させるのが良い。
【００１６】
ループ状コイルアンテナを、非接触通信媒体載置面に対して、平行な方向に直線移動を行うのは、簡素な構成で実現できるので好ましい。ターンテーブルの端部にループ状コイルアンテナを設けて、回転移動を行うのも同様の理由から好ましい。
【００１７】
非接触通信媒体載置面の縁辺に沿って、平行に矩形を描くように移動を行うのは、より高精度な通信を実現できるので好ましい。
【００１８】
ループ状コイルアンテナの外径は、非接触通信媒体載置面の面積や移動経路を考慮して良好な通信が維持できる範囲で任意に設定するのが良い。
【００１９】
ループ状コイルアンテナの移動速度は、通信機能を損なわない程度に設定するのが良いが、通信に要する時間をも考慮すると、秒速０．１ｍ以上秒速２ｍ以下が好ましい。
【実施例】
【００２０】
以下、本発明について実施例を用いて詳細に説明する。
【００２１】
（実施例１）
図１は本発明の構成を説明する図で、非接触通信媒体用リーダライタおよび非接触通信媒体貼付物品を示す。また、図１（ａ）は、ループ状アンテナ移動前の状態を示し、図１（ｂ）は、ループ状アンテナ移動後の状態を示している。
【００２２】
リーダライタ筐体１０内部には、ループ状コイルアンテナ１１が格納されており、このループ状コイルアンテナ１１は、非接触通信媒体貼付物品である食器１３および食器２３に貼り付けられた非接触通信媒体１４との間で、通信、すなわちデータ交換および電源供給を行うために磁界を発する。この磁界は磁界分布１２の通り分布する。
【００２３】
ループ状コイルアンテナ１１は、モータ制御により、移動経路１５の方向に、リーダライタ筐体１０内部を一方の端部から他方の端部まで秒速０．５ｍで移動するよう構成されている。
【００２４】
また、リーダライタ筐体１０の非接触通信媒体貼付物品載置面は、縦０．５ｍ、横０．６ｍの矩形状に形成されている。
【００２５】
食器１３および食器２３に貼り付けられた非接触通信媒体１４には、予め個々の食品情報が記憶されている。レジ精算を行うとき、リーダライタ筐体１０上面に食器１３および食器２３をならべて配置することにより各非接触通信媒体１４から両方の食品情報を一括して読取ることが可能となり、効率よく、レジ精算を行うことが可能である。
【００２６】
しかしながら、ループ状コイルアンテナ１１は、原理的にその磁界強度がアンテナのループ近傍で強く、アンテナの中心で弱いために、アンテナ中心付近に配置された非接触通信媒体１４に対し、充分な電力供給がされず、図１（ａ）においては、食器２３に貼り付けられた非接触通信媒体１４とは確実に通信ができない場合が生じ、いわゆる通信失敗領域が発生している。
【００２７】
従って、リーダライタ筐体１０内部に格納されたループ状コイルアンテナ１１を図１（ａ）の位置から図１（ｂ）の位置へ移動させて、非接触通信媒体１４と通信を行った。この移動に伴い、ループ状コイルアンテナ１１から発せられる磁界の磁界分布１２は、図１（ｂ）に示すように移動し、食器２３に貼り付けられた非接触通信媒体１４には、充分な電力が供給された。したがって、食器２３に貼り付けられた非接触通信媒体１４とも良好な状態で通信することが可能となり、非接触通信媒体１４に記憶された食品情報を読取ることができた。
【００２８】
（実施例２）
図２は、本発明の構成を説明する図で、非接触通信媒体用リーダライタを示す。
【００２９】
リーダライタ筐体１０内部には、ループ状コイルアンテナ１１が格納されており、このループ状コイルアンテナ１１は、図示しない３個の非接触通信媒体貼付物品に貼り付けられた非接触通信媒体との間で、通信、すなわちデータ交換および電源供給を行うために磁界を発する。
【００３０】
ループ状コイルアンテナ１１は、モータ制御により、移動経路１６の方向に、移動し、引き続き移動経路１７、移動経路１８、移動経路１９と、秒速０．８ｍで矩形を描くように移動するよう構成されている。
【００３１】
なお、ループ状コイルアンテナ１１のコイル外径は、実施例１に比較すると６０％小さく、移動に伴い、リーダライタ筐体１０の表面すなわち非接触通信媒体貼付物品載置面全体を良好な通信状態となるよう設計している。
【００３２】
また、リーダライタ筐体１０の非接触通信媒体貼付物品載置面は、縦０．５ｍ、横０．６ｍの矩形状に形成されている。
【００３３】
ループ状コイルアンテナ１１の移動に伴い、ループ状コイルアンテナ１１から発せられる磁界分布も移動し、図示しない非接触通信媒体貼付物品に貼り付けられた３個の非接触通信媒体１４すべてに、充分な電力が供給された。したがって、すべての非接触通信媒体１４と良好な状態で通信することが可能となり、非接触通信媒体１４に記憶された食品情報を読取ることができた。
【００３４】
（実施例３）
ループ状コイルアンテナ１１の移動経路を除いて、実施例２と同様のリーダライタを作製し、同様の実験を行った。
【００３５】
ループ状コイルアンテナ１１は、モータ制御により回転するターンテーブルの端部に設置され、秒速０．３ｍで円を描くように移動するよう構成した。
【００３６】
ループ状コイルアンテナ１１の移動に伴い、ループ状コイルアンテナ１１から発せられる磁界の分布も移動し、実施例２と同様に各非接触通信媒体貼付物品に貼り付けられた非接触媒体１４すべてに、充分な電力が供給された。したがって、すべての非接触媒体１４と良好な状態で通信することが可能となり、非接触通信媒体１４に記憶された食品情報を読取ることができた。
【００３７】
（比較例）
図３は比較例の構成を説明する図で、非接触通信媒体用リーダライタおよび非接触通信媒体貼付物品を示す。
【００３８】
リーダライタ筐体１０内部には、ループ状コイルアンテナ１１が格納されており、このループ状コイルアンテナ１１は、非接触通信媒体貼付物品である食器１３および食器２３に貼り付けられた非接触通信媒体１４との間で、通信、すなわちデータ交換および電源供給を行うために磁界を発する。この磁界は磁界分布１２の通り分布する。
【００３９】
食器１３および食器２３に貼り付けられた非接触通信媒体１４には、予め個々の食品情報が記憶されている。
【００４０】
ループ状コイルアンテナ１１は、非接触通信媒体貼付物品載置面の縁辺に添うようにループを形成して配置されている。このときの磁界は磁界分布１２の通り分布する。なお、リーダライタ筐体１０の非接触通信媒体貼付物品載置面は、縦０．５ｍ、横０．６ｍの矩形状に形成されている。
【００４１】
従って、その磁界強度は、ループ状コイルアンテナ１１のループ近傍で強く、中心近傍で弱いために、アンテナ中心付近に配置された非接触通信媒体１４に対し、充分な電力供給がなされず、食器２３に貼り付けられた非接触通信媒体１４とは良好に通信ができない場合があった。
【００４２】
上記のとおり、本発明によれば、非接触通信媒体用リーダライタの通信失敗領域が消滅し、かつ簡単な構成及び制御方法から成る非接触通信媒体用リーダライタを提供することが可能となる。
【００４３】
以上、実施例を用いて、この発明の実施の形態を説明したが、この発明は、これらの実施例に限られるものではなく、この発明の要旨を逸脱しない範囲の設計変更があっても本発明に含まれる。すなわち、当業者であれば、当然なしえるであろう各種変形、修正もまた本発明に含まれることは勿論である。
【産業上の利用可能性】
【００４４】
本発明の非接触通信媒体用リーダライタを用いることにより、物品の管理をはじめとする様々な管理システムを構築することができる。
【図面の簡単な説明】
【００４５】
【図１】本発明の構成を説明する図、図１（ａ）は、ループ状アンテナ移動前の状態を示す図、図１（ｂ）は、ループ状アンテナ移動後の状態を示す図。
【図２】本発明の構成を説明する図。
【図３】比較例の構成を説明する図。
【符号の説明】
【００４６】
１０    リーダライタ筐体
１１    ループ状コイルアンテナ
１２    磁界分布
１３，２３    食器
１４    非接触通信媒体
１５，１６，１７，１８，１９    移動経路
【図１】
2007279804.tif 000003
【図２】
2007279804.tif 000004
【図３】
2007279804.tif 000005